(57)【特許請求の範囲】
【請求項１】
画像データに基づいて記録媒体に画像形成する画像形成手段と、
章分け情報を設定する設定手段と、
タッチパネルを有し、前記タッチパネルを介して番号以外のテキストを章毎に受け付ける操作表示部と、
前記設定手段により設定された章分け情報に基づいて、それぞれの章先頭ページに対応する画像データを前記記録媒体の表面にして前記画像形成手段により両面画像形成させる制御手段と、
前記テキストに基づくテキストデータの画像形成対象を、前記章先頭ページ又は全ページの何れとするか選択する選択手段、とを備え、
前記制御手段は、前記選択手段により前記章先頭ページが選択された場合に、それぞれの前記章先頭ページの画像データに、それぞれの章に対応する前記テキストデータを画像として合成して前記章先頭ページの合成画像データを生成し、当該章先頭ページの合成画像データと、前記章先頭ページ以外のページの画像データとを前記画像形成部により章分けして両面画像形成させ、前記選択手段により全ページが選択された場合に、前記全ページの画像データに、それぞれの章に対応する前記テキストデータを画像として合成して全ページの合成画像データを生成し、当該全ページの合成画像データを前記画像形成手段により章分けして両面画像形成させることを特徴とする画像形成装置。
【請求項２】
前記テキストデータは、番号以外のテキスト、章番号およびページ番号からなることを特徴とする請求項１に記載の画像形成装置。
【請求項３】
更に、番号以外のテキストを記憶する第１の記憶領域と、番号を記憶する第２の記憶領域と、を有する記憶手段と、を備え、
前記制御手段は、前記設定手段により設定された章分け情報に基づいて、画像データに、前記第１の記憶領域に記憶されたテキスト、又は前記第１及び第２の記憶領域に記憶されたテキスト及び番号、からなるテキストデータを画像として合成して合成画像データを生成し、前記章先頭ページを前記記録媒体の表面にして前記合成画像データを含む画像データを前記画像形成手段に両面画像形成させることを特徴とする請求項１又は２に記載の画像形成装置。
【発明の詳細な説明】
【技術分野】
【０００１】
本発明は、画像形成装置に関する。
【背景技術】
【０００２】
従来、画像データに基づいて記録用紙に画像形成する複写機等の画像形成装置が実施されている。また、画像形成装置には、章分け機能を有するものが考えられている。
【０００３】
図１２を参照して、章分け機能を説明する。図１２に、章分け機能により画像形成した
記録用紙ａ３１〜ａ３６を示す。
【０００４】
章は、少なくとも１つの画像データからなる一つのまとまりとする。章分け機能とは、
画像データを順に記録用紙に両面画像形成するにあたり、章先頭の画像データを表面に画
像形成する機能であるものとする。また、章の最後のページが記録用紙の表面に画像形成
される場合には、その次の画像データとして白の画像データ（ＮＵＬＬデータ）が追加さ
れて、その裏面に白の画像データが画像形成される（画像データが画像形成されない）。
【０００５】
例えば、図１２に示すように、画像データＡ１〜Ａ３を第１章とし、画像データＡ４〜Ａ８を第２章とし、画像データＡ９，Ａ１０を第３章とし、画像データＡ１〜Ａ１０を順に記録用紙ａ３１〜ａ３６に章分けして画像形成する場合を説明する。
【０００６】
第１章では、記録用紙ａ３１において、表面ｂ３１に画像データＡ１が画像形成され、裏面ｃ３１に画像データＡ２が画像形成される。記録用紙ａ３２において、表面ｂ３２に画像データＡ３が画像形成され、画像データＡ４が次章の第２章の先頭ページであるので、裏面ｃ３２に画像データが画像形成されない。
【０００７】
同様に、第２章では、記録用紙ａ３３〜ａ３５において、表面ｂ３３，裏面ｃ３４〜表面ｂ３５に画像データＡ４〜Ａ８が順に画像形成され、裏面ｃ３５に画像データが画像形成されない。同様に、第３章では、記録用紙ａ３６において、表面ｂ３６，裏面ｃ３６に画像データＡ９，Ａ１０が順に画像形成される。
【０００８】
また、章分け機能を有する画像形成装置において、画像データとともに、章番号及び章ページ番号を画像形成する機能を有するものが考えられている（例えば、特許文献１参照）。
【０００９】
図１３を参照して、画像形成装置において、章番号及び章ページ番号を画像形成する従来の第３の画像形成処理を説明する。図１３に、第３の画像形成処理の流れを示す。章番号は、各章を識別する番号である。章ページ番号は、章ごとのページ番号であり、全体のページ番号としての全体ページ番号とは区別される。
【００１０】
画像形成装置において、先ず、ユーザから操作部を介して入力される、記録用紙上の章番号及び章ページ番号の画像形成位置情報が受け付けられ、その位置情報に基づいて章番号及び章ページ番号の画像形成位置が設定される（ステップＳ５１）。そして、ユーザから操作部を介して入力される、章番号及び章ページ番号の文字サイズ情報が受け付けられ、その文字サイズ情報に基づいて章番号及び章ページ番号の文字サイズが設定される（ステップＳ５２）。
【００１１】
そして、ユーザから操作部を介して入力される、各章の先頭ページである章分け指定ページ番号情報が受け付けられ、そのページ番号情報に基づいて章分け指定ページ番号が設
定される（ステップＳ５３）。そして、操作入力による各種設定が完了したか否かが判別
される（ステップＳ５４）。各種設定が完了していない場合（ステップＳ５４；ＮＯ）、
ステップＳ５１に移行される。各種設定が完了した場合（ステップＳ５４；ＹＥＳ）、全
体ページ番号カウンタ及び章ページ番号カウンタが０に設定される（ステップＳ５５）。
そして、章番号カウンタが０に設定される（ステップＳ５６）。
【００１２】
そして、全体ページ番号カウンタがインクリメントされる（ステップＳ５７）。そして、全体ページ番号カウンタの全体ページ番号が、章分け指定ページ番号であるか否かが判別される（ステップＳ５８）。章分け指定ページ番号である場合（ステップＳ５８；ＹＥＳ）、章ページ番号＝１となるよう章ページ番号カウンタが設定される（ステップＳ５９）。
【００１３】
そして、章番号カウンタが１つインクリメントされ設定される（ステップＳ６０）。そして、次に画像形成する画像データに、ステップＳ５１、Ｓ５２で設定された位置及び文字サイズで、章番号カウンタ及び章ページ番号カウンタの章番号及び章ページ番号が画像として合成され、その１ページ分の合成画像データが記録用紙の次の面に画像形成される（ステップＳ６１）。記録用紙の次の面とは、章番号指定ページでは、次の記録用紙の表面となり、その他の場合では、画像形成済の面の次の表面又は裏面となる。
【００１４】
章分け指定ページ番号でない場合（ステップＳ５８；ＮＯ）、章ページ番号カウンタが１つインクリメントされて設定され（ステップＳ６２）ステップＳ６１に移行される。
【００１５】
そして、ステップＳ６１により、全ページが画像形成されたか否かが判別され（ステップＳ６３）。全ページが画像形成されていない場合（ステップＳ６３；ＮＯ）、ステップＳ５７に移行される。全ページが画像形成された場合（ステップＳ６３；ＹＥＳ）、第３の画像形成処理が終了する。
【００１６】
図１４を参照して、上記第３の画像形成処理による章番号及び章ページ番号の画像形成の一例を説明する。図１４に、画像データとともに章番号及び章ページ番号を画像形成した記録用紙ａ４１〜ａ４６を示す。
【００１７】
図１４における章分けは、図１２の例と同様とする。第１章では、記録用紙ａ４１において、表面ｂ４１に、画像データＡ１、章番号及び章ページ番号ｆ１が画像形成され、裏面ｃ４１に画像データＡ２、章番号及び章ページ番号ｆ２が画像形成される。
【００１８】
章番号及び章ページ番号は、“章番号−章ページ番号”の形式で表現される。記録用紙ａ４２において、表面ｂ４２に、画像データＡ３、章番号及び章ページ番号ｆ３が画像形成され、裏面ｃ４２に、画像データ、章番号及び章ページ番号が画像形成されない。
【００１９】
同様に、第２章では、記録用紙ａ４３〜ａ４５において、表面ｂ４３，裏面ｃ４３〜表面ｂ４５に、画像データＡ４〜Ａ８、章番号及び章ページ番号ｆ４〜ｆ８が順に画像形成され、裏面ｃ４５に、画像データ、章番号及び章ページ番号が画像形成されない。同様に、第３章では、記録用紙ａ４６において、表面ｂ４６，裏面ｃ４６に、画像データＡ９，Ａ１０、章番号及び章ページ番号ｆ９，ｆ１０が順に画像形成される。
【特許文献１】特開２００１−２７４９７７号公報
【発明の開示】
【発明が解決しようとする課題】
【００２０】
しかし、上記従来の章分け機能を有する画像形成装置において、画像データとともに、章番号、章ページ番号以外のテキストデータを画像形成することができなかった。
【００２１】
本発明の課題は、章分けの画像形成において、画像データとともに、番号以外のテキストデータを画像形成することである。
【課題を解決するための手段】
【００２２】
上記の課題を解決するために、請求項１に記載の発明は、
画像データに基づいて記録媒体に画像形成する画像形成手段と、
章分け情報を設定する設定手段と、
タッチパネルを有し、前記タッチパネルを介して番号以外のテキストを章毎に受け付ける操作表示部と、
前記設定手段により設定された章分け情報に基づいて、それぞれの章先頭ページに対応する画像データを前記記録媒体の表面にして前記画像形成手段により両面画像形成させる制御手段と、
前記テキストに基づくテキストデータの画像形成対象を、前記章先頭ページ又は全ページの何れとするか選択する選択手段、とを備え、
前記制御手段は、前記選択手段により前記章先頭ページが選択された場合に、それぞれの前記章先頭ページの画像データに、それぞれの章に対応する前記テキストデータを画像として合成して前記章先頭ページの合成画像データを生成し、当該章先頭ページの合成画像データと、前記章先頭ページ以外のページの画像データとを前記画像形成部により章分けして両面画像形成させ、前記選択手段により全ページが選択された場合に、前記全ページの画像データに、それぞれの章に対応する前記テキストデータを画像として合成して全ページの合成画像データを生成し、当該全ページの合成画像データを前記画像形成手段により章分けして両面画像形成させることを特徴とする、画像形成装置である。
【００２５】
請求項２に記載の発明は、請求項１に記載の画像形成装置において、前記テキストデータは、番号以外のテキスト、章番号およびページ番号からなることを特徴とする。
【００２６】
請求項３に記載の発明は、請求項１又は２に記載の画像形成装置において、
更に、番号以外のテキストを記憶する第１の記憶領域と、番号を記憶する第２の記憶領域と、を有する記憶手段と、を備え、
前記制御手段は、前記設定手段により設定された章分け情報に基づいて、画像データに、前記第１の記憶領域に記憶されたテキスト、又は前記第１及び第２の記憶領域に記憶されたテキスト及び番号、からなるテキストデータを画像として合成して合成画像データを生成し、前記章先頭ページを前記記録媒体の表面にして前記合成画像データを含む画像データを前記画像形成手段に両面画像形成させることを特徴とする、画像形成装置である。
【発明の効果】
【００２７】
請求項１に記載の発明によれば、章分けの画像形成において、画像データとともに、番号以外のテキストを含むテキストデータを画像形成でき、章ごとに視認性の高い記録媒体を出力することができる。
【００２８】
また、章先頭ページのみにおいて、画像データとともにテキストデータを画像形成でき、画像形成されたテキストデータにより記録媒体の章先頭ページを目視により認識できる。
【００２９】
また、画像データとともにテキストデータを画像形成するページを、章先頭ページ及び全ページから選択できる。
【００３０】
また、テキストデータを操作入力により取得できる。
【００３２】
請求項２に記載の発明によれば、番号以外のテキストデータとともに番号を画像形成でき、章ごと、章のページごとに視認性の高い記録媒体を出力することができる。
【００３３】
請求項３に記載の発明によれば、章分けの画像形成において、画像データとともに、番号以外のテキスト、又は番号以外のテキスト及び番号からなるテキストデータを画像形成でき、章ごとに視認性の高い記録媒体を出力することができる。
【発明を実施するための最良の形態】
【００３４】
以下、図面を参照して本発明に係る実施の形態及びその変形例を順に詳細に説明する。
ただし、発明の範囲は、図示例に限定されない。
【００３５】
先ず、図１及び図２を参照して本実施の形態の装置の特徴を説明する。図１に、本実施の形態の複写機１の構成を示す。図２に、複写機１の内部構成を示す。
【００３６】
先ず、図１を参照して、本実施の形態の画像形成装置としての複写機１を説明する。図１に示すように、複写機１は、画像読み取り部２０と、設定手段、入力手段、選択手段としての操作表示部３０と、画像形成手段としてのプリンタ部４０と、給紙ユニット５０と、後処理ユニット６０と、を備えて構成される。
【００３７】
なお、本実施の形態では、画像形成装置として複写機を用いる構成を説明するが、これに限定されるものではなく、画像形成装置として、プリンタ等の少なくとも画像形成機能を有する装置を用いてもよい。
【００３８】
画像読み取り部２０は、自動紙送り機構であるＡＤＦ（Auto Document Feeder）部２１と、スキャナ部２２と、を備えて構成される。ＡＤＦ部２１は、原稿台に載置された原稿を搬送する。スキャナ部２２は、ＡＤＦ部２１により搬送された原稿をコンタクトガラスを介して光走査し、又はプラテンガラス上に載置された原稿を光走査して、ＣＣＤ（Charge-Coupled Devices）イメージセンサ２３により光電変換して原稿画像に記録された画像を読み取り原稿画像データを取得する。
【００３９】
画像読み取り部２０により読み取られた原稿画像データには、後述する制御手段１００
により各種画像処理が施され、印刷用画像データとして、プリンタ部４０に出力される又
は画像メモリ１７０に記憶される。
【００４０】
操作表示部３０は、数字ボタン、印刷開始を指示するためのスタートキー、ユーティリティキー等の各種機能キーを備え、ユーザの入力を受け付けその入力情報を制御手段１００に出力する。操作表示部３０は、ＬＣＤ（Liquid Crystal Display）３１を備え、ＬＣＤ３１に画面上のタッチ入力を受け付けるタッチパネルが構成され、設定条件の設定画面等の各種操作画面や、各種処理結果を表示する。
【００４１】
プリンタ部４０は、電子写真方式の画像形成を行うものであるとともに両面画像形成機能を有し、給紙ユニット５０から給紙された記録用紙を搬送する搬送機構４１と、記録用紙に画像形成を行う画像形成部４２と、記録用紙上に形成されたトナー像を定着させる定着部４３と、を備えて構成される。また、画像形成部４２は、像担持体である感光ドラム、感光ドラムの帯電を行う帯電部と、画像データに基づいて感光ドラム表面に露光走査するＬＤ（LASER Diode）等の露光部と、感光ドラムにトナーを付着させる現像部と、感光ドラム上に形成されたトナー像を記録用紙に転写する転写部と、感光ドラム上の残トナーを除去するクリーニング部と、を備えて構成される。
【００４２】
搬送機構４１は、給紙ユニット５０から取り出された記録用紙を画像形成部４２に搬送する。また、搬送機構４１は、画像形成部４２に記録用紙の反転機能を有する。両面画像形成する場合に、搬送機構４１は、画像形成部４２により片面が画像形成された記録用紙を反転して再び画像形成部４２に搬送する。画像形成部４２は、その片面が画像形成された記録用紙のもう一方の片面を画像形成して排出して両面画像形成する。なお、本実施の形態では、プリンタ部４０が電子写真方式の画像形成を行うこととしたが、これに限定されるものではなく、インクジェット方式、熱転写方式、ドットインパクト方式等の他の画像形成方式としてもよい。
【００４３】
給紙ユニット５０は、給紙トレイ５１〜５４の４つの給紙トレイを備えて構成される。なお、本実施の形態では、４つの給紙トレイを備えることとしたが、これに限定されるものではなく、その数は特に限定しない。各給紙トレイ５１〜５４には、普通紙、裏紙、再生紙、上質紙等の用紙種及びサイズが異なる記録用紙を収容することが可能である。
【００４４】
後処理ユニット６０は、画像形成された記録用紙にソート処理、パンチ（穴開け）処理、ステープル処理、中折り処理、断裁処理等の各種後処理を施し、小冊子や製本を作成することが可能である。
【００４５】
図２を参照して、複写機１の内部構成を説明する。複写機１は、制御手段１００と、プリンタコントローラ１０と、画像読み取り部２０と、操作表示部３０と、プリンタ部４０と、後処理ユニット６０と、を備えて構成される。
【００４６】
プリンタコントローラ１０は、コントローラ制御部１１と、ＤＲＡＭ制御ＩＣ１２と、画像メモリ１３と、通信制御部１４と、ＮＩＣ（Network Interface Card）１５と、を備えて構成される。
【００４７】
コントローラ制御部１１は、各部の動作を統括的に制御し、通信制御部１４、ＮＩＣ１５を介して、ＬＡＮ（Local Area Network）上の外部機器としてのＰＣ（Personal Computer）２から入力される画像データ等の出力データをジョブとして制御手段１００へ配信する機能を実現する。外部機器としては、ＰＣ２に限定されるものではなく、ＰＤＡ、別の複写機等、他の種類の機器としてもよい。
【００４８】
ＰＣ２と、複写機１とを通信接続する通信ネットワークをＬＡＮとして説明するが、これに限定されるものではなく、ＷＡＮ(Wide Area Network)、専用線等の他の種類の通信ネットワークや、これらを組み合わせた通信ネットワークとしてもよい。
【００４９】
ＤＲＡＭ制御ＩＣ１２は、ＮＩＣ１５、通信制御部１４により受信された出力データの画像メモリ１３への格納や、画像メモリ１３からの出力データの読み出しを制御する。また、ＤＲＡＭ制御ＩＣ１２は、制御手段１００のＤＲＡＭ制御ＩＣ１６０とＰＣＩ（Peripheral Components Interconnect）バスで接続されており、コントローラ制御部１１からの指示に従って、画像形成対象の出力データを画像メモリ１３から読み出してＤＲＡＭ制御ＩＣ１６０に出力する。
【００５０】
画像メモリ１３は、ＤＲＡＭから構成され、入力された出力データを一時的に格納する。
【００５１】
通信制御部１４は、ＮＩＣ１５の通信を制御する。ＮＩＣ１５は、ＬＡＮに接続するための通信インターフェイスであり、ＰＣ２からＬＡＮを介して、印刷対象の出力データを受信する。受信された出力データは、ＤＲＡＭ制御ＩＣ１２に出力される。
【００５２】
画像読み取り部２０は、図１に示したＡＤＦ部２１と、ＣＣＤ（Charge-Coupled Devices）イメージセンサ２３を有するスキャナ部２２と、画像読み取り制御部２４と、ＡＤＦ制御部２５と、を備えて構成される。画像読み取り制御部２４は、画像制御部１１０からの指示に従って、スキャナ部２２を制御して原稿面の光走査を実行させ、読み取られたアナログ画像信号を制御手段１００の読み取り処理部１５０に出力する。ＡＤＦ制御部２５は、画像制御部１１０からの指示に従って、ＡＤＦ部２１を制御して原稿を順にスキャナ部２２のコンタクトガラスに送り光走査後に排出させる。
【００５３】
操作表示部３０は、表示部としてのＬＣＤ（Liquid Crystal Display）３１と一体型に構成されるタッチパネルと、図示しない各種機能キーと、操作表示制御部３２と、から構成される。操作表示制御部３２は、各種機能キー又はタッチパネルにより操作された操作信号を画像制御部１１０に出力する。また、操作表示制御部３２は、画像制御部１１０からの指示に従って、各種操作画面、各種処理結果等をＬＣＤ３１に表示させる。
【００５４】
プリンタ部４０は、画像形成部４２等の印刷に係る各部と、プリンタ制御部４４と、を備えて構成される。プリンタ制御部４４は、画像制御部１１０からの指示に従って、プリンタ部４０の各部の動作を制御し、書き込み処理部１９０から入力された画像データに基づいて画像形成部４２等に記録用紙の画像形成を行わせる。
【００５５】
後処理ユニット６０は、図示しない各種後処理部と、後処理制御部６１と、を備えて構成される。後処理制御部６１は、画像制御部１１０の指示に従って、プリンタ部４０から出力された画像形成済の記録用紙に各種後処理を施すように各種後処理部を制御する。
【００５６】
制御手段１００は、画像制御部１１０と、プログラムメモリ１２０と、記憶手段としてのシステムメモリ１３０と、不揮発メモリ１４０と、読み取り処理部１５０と、ＤＲＡＭ（Dynamic Random Access Memory）制御ＩＣ１６０と、画像メモリ１７０と、圧縮・伸長ＩＣ１８０と、書き込み処理部１９０と、を備えて構成される。
【００５７】
画像制御部１１０は、ＣＰＵ（Central Processing Unit）等から構成され、複写機１の各部を集中制御する。画像制御部１１０は、プログラムメモリ１２０に格納されているシステムプログラム及び各種アプリケーションプログラムの中から指定されたプログラムを読み出してシステムメモリ１３０に展開し、システムメモリ１３０に展開されたプログラムとの協働で、各種処理を実行する。
【００５８】
また、画像制御部１１０は、後述する第１の画像形成プログラムとの協働で、画像データに、章ごとの章タイトル情報を合成して合成画像データを作成し、その合成画像データをプリンタ部４０に章分けして記録用紙に画像形成させる。
【００５９】
プログラムメモリ１２０は、ＲＯＭ（Read Only Memory）等により構成され、システムプログラム及び各種アプリケーションプログラム、各種データを記憶する。プログラムメモリ１２０は、後述する第１の画像形成処理を実行するための第１の画像形成プログラムを記憶する。
【００６０】
システムメモリ１３０は、ＲＡＭ（Random Access Memory）により構成され、各種データ、各種プログラムを記憶するワークエリアを有する。システムメモリ１３０は、例えば、第１の記憶領域、第２の記憶領域を有し、章タイトル情報を第１の記憶領域に記憶し、章番号をカウントする章番号カウンタと、全体のページ番号をカウントする全体ページ番号カウンタとを第２の記憶領域に記憶する。章タイトル情報とは、章ごとに設定されるタイトルとし、少なくとも番号以外のテキストを含むものとする。
【００６１】
不揮発メモリ１４０は、フラッシュメモリ等で構成され、各種データを書き換え可能に記憶する。章番号カウンタ及び全体ページ番号カウンタは、不揮発メモリ１４０に記憶する構成としてもよい。
【００６２】
読み取り処理部１５０は、画像読み取り部２０の画像読み取り制御部２４から入力されるアナログ画像信号に、アナログ処理、Ａ／Ｄ変換処理、シェーディング処理等の各種処理を施してデジタル画像データを生成する。生成されたデジタル画像データは、ＤＲＡＭ制御ＩＣ１６０に出力される。
【００６３】
ＤＲＡＭ制御ＩＣ１６０は、画像制御部１１０からの指示に従って、圧縮・伸長ＩＣ１８０によるデジタル画像データの圧縮処理、圧縮画像データの伸長処理を制御するとともに、画像メモリ１７０への画像データの入出力制御を行う。例えば、画像読み取り部２０により読み取られたアナログ画像信号の保存が指示されると、読み取り処理部１５０から入力されたデジタル画像データの圧縮処理を圧縮・伸長ＩＣ１８０により実行させて、圧縮画像データを画像メモリ１７０の圧縮メモリ１７１に格納させる。
【００６４】
また、ＤＲＡＭ制御ＩＣ１６０は、圧縮メモリ１７１に格納された圧縮画像データの画像形成出力が指示されると、圧縮メモリ１７１から圧縮画像データを読み出し、圧縮・伸長ＩＣ１８０により伸長処理を施してページメモリ１７２に格納させる。さらに、ページメモリ１７２に格納された非圧縮画像データの画像形成出力が指示されると、ページメモリ１７２から非圧縮画像データを読み出して書き込み処理部１９０に出力する。
【００６５】
画像メモリ１７０は、ＤＲＡＭ等の圧縮メモリ１７１と、ページメモリ１７２と、を備えて構成される。圧縮メモリ１７１は、圧縮画像データを格納するためのメモリである。ページメモリ１７２は、画像形成出力前に画像形成出力対象の非圧縮画像データを一時的に格納するためのメモリである。
【００６６】
圧縮・伸長ＩＣ１８０は、ＤＲＡＭ制御ＩＣ１６０から入力される画像データに圧縮処理を施して圧縮画像データを生成してＤＲＡＭ制御ＩＣ１６０に出力する。また圧縮・伸長ＩＣ１８０は、ＤＲＡＭ制御ＩＣ１６０から入力される圧縮画像データに伸長処理を施して非圧縮画像データを生成してＤＲＡＭ制御ＩＣ１６０に出力する。
【００６７】
書き込み処理部１９０は、ＤＲＡＭ制御ＩＣ１６０から入力された非圧縮画像データに基づいて、画像形成のためのプリントデータを生成し、プリンタ部４０（画像形成部４２）に出力する。
【００６８】
次に、本実施の形態における複写機１の動作を説明する。先ず、図３及び図４を参照して、画像データと、その画像データに画像として合成するテキストデータとの入力と、記録用紙の出力とについて説明する。図３に、原稿Ｍ１及びテキストデータＴ１の入力から記録用紙Ｐ１の出力までの流れを示す。図４に、画像データＤ１及びテキストデータＴ２の入力から記録用紙Ｐ１ａの出力までの流れを示す。
【００６９】
図３に示すように、複写機１において、画像Ａが記録された原稿Ｍ１が画像読み取り部２０により読み取られて画像Ａの画像データが取得される。また、操作表示部３０を介してユーザにより操作入力されたテキスト（内容）ＴのテキストデータＴ１が取得される。そして、制御手段１００により画像Ａの画像データにテキストデータＴ１が画像として合成され、その合成画像データがプリンタ部４０により章分けして画像形成され記録用紙Ｐ１が出力される。なお、画像Ａが任意の画像であるものとし、テキストＴは、章番号等の番号以外の文字を含むテキストとする。
【００７０】
また、外部機器から画像データ及びテキストデータを入力することとしてもよい。図４に示すように、ＰＣ２の記憶部（図示せず）に記憶された画像Ａの画像データＤ１と、ＰＣ２の操作部（図示せず）を介してユーザにより操作入力されて記憶部に記憶されたテキストＴのテキストデータＴ２とが、ＬＡＮを介して複写機１に入力される。そして、図３と同様に画像合成及び章分けしての画像形成がなされ、記録用紙Ｐ１ａが出力される。
【００７１】
次いで図５〜図７を参照して、複写機１において実行される第１の画像形成処理を説明する。図５に、第１の画像形成処理の流れを示す。図６（ａ）に、メイン操作画面２１０の構成を示す。図６（ｂ）に、応用機能操作画面２２０を示す。図６（ｃ）に、章分け指定ページ番号入力画面２３０を示す。図７（ａ）に、章タイトル情報一覧表示画面２４０を示す。図７（ｂ）に、章タイトル情報入力画面２５０を示す。図７（ｃ）に、章分け指定ページ番号入力画面２３０ａを示す。
【００７２】
第１の画像形成処理は、章分け機能により画像データを記録用紙に画像形成するにあたり、画像データとともに、各章の章タイトル情報を、全ページ画像形成する、章先頭ページのみ画像形成する又は画像形成しないことを選択して画像形成する処理である。例えば、操作表示部３０を介して、章分けモード移行が入力されたことをトリガとして、プログラムメモリ１２０から読み出されてシステムメモリ１３０に展開された第１の画像形成プログラムと、画像制御部１１０と、の協働により、第１の画像形成処理が実行される。
【００７３】
例えば、図６（ａ）に示すメイン操作画面２１０がＬＣＤ３１に表示され、応用機能キー２１１がユーザによりタッチ入力され、図６（ｂ）に示す応用機能操作画面２２０がＬＣＤ３１に表示され、章分けキー２２１がユーザによりタッチ入力されることにより、章分けモードが開始され、第１の画像形成処理が実行される。
【００７４】
先ず、ユーザから操作表示部３０を介して入力される、記録用紙上の章タイトル情報の画像形成位置情報が受け付けられ、その位置情報に基づいて章タイトル情報の画像形成位置が設定される（ステップＳ１１）。そして、ユーザから操作表示部３０を介して入力される、章タイトル情報の文字サイズ情報が受け付けられ、その文字サイズ情報に基づいて章タイトル情報の文字サイズが設定される（ステップＳ１２）。
【００７５】
そして、入力される各章の先頭のページ番号である章分けページ番号情報と、各章の章タイトル情報と、画像形成種類と、に基づいて、章分けページ番号、章タイトル情報、画像形成種類が設定される（ステップＳ１３）。画像形成種類とは、章タイトルを全ページ画像形成するものと、章タイトルを各章の章先頭ページのみ画像形成するものと、章タイトルを画像形成しないものと、の３種類であるとする。
【００７６】
ステップＳ１３では、例えば、図３に示すように、ユーザから操作表示部３０を介して入力される章分け指定ページ番号情報と各章の章タイトル情報と画像形成の種類と、が受け付けられ、各情報が設定される。
【００７７】
具体的には、図６（ｃ）に示す章分け指定ページ番号入力画面２３０がＬＣＤ３１に表示され、章設定キー２３１のタッチ選択入力及びハードキーとしての数字キーの入力に基づいて、章分けページ番号が設定される。この段階では、章分けに関する設定が完了していないので章タイトル設定表示部２３２が普通表示されている。章分け指定ページ番号入力画面２３０でＯＫキー２３３が押下されると、図７（ａ）に示す章タイトル情報一覧表示画面２４０がＬＣＤ３１に表示され、スクロールキー２４１のタッチ入力によるスクロール自在に、章タイトル情報選択部２４２のタッチ選択入力に基づいて、章タイトルを新規入力又は編集する章が選択される。
【００７８】
そして、図７（ｂ）に示す章タイトル情報入力画面２５０がＬＣＤ３１に表示され、文字入力キー２５１により章タイトル情報がタッチ入力され、その章タイトル情報が章タイトル情報表示部２５２に表示される。また、各章の章タイトル情報の全ページ画像形成、章先頭ページのみ画像形成又は画像形成しないことにそれぞれ対応して、章タイトル設定部２５３のタッチ入力により、（全ページ）ＯＮ／（全ページ）ＯＦＦ／章先頭ページ（のみ）が切り替え入力される。章タイトル情報入力画面２５０でＯＫキー２５４が押下されると、図７（ｃ）に示す章分け指定ページ番号入力画面２３０ａがＬＣＤ３１に表示される。指定ページ番号入力画面２３０ａでは、章分けに関する情報設定が完了していることを示すように、章タイトル設定表示部２３２ａが反転表示されている。章分け指定ページ番号入力画面２３０ａでＯＫキー２３３が押下されると、図６（ｂ）に示す応用機能操作画面２２０がＬＣＤ３１に表示される。応用機能操作画面２２０でＯＫキー２２２が押下されると、図６（ａ）に示すメイン操作画面２１０がＬＣＤ３１に表示される。
【００７９】
また、ステップＳ１３では、図４に示すように、ＰＣ２で操作入力された章タイトル情報がプリンタコントローラ１０を介してＰＣ２から受信されて設定されることとしてもよい。さらに、章タイトル情報に加えて、章分けページ番号情報及び画像形成種類がＰＣ２から受信されて設定されることとしてもよい。システムメモリ１３０は、章タイトル情報を格納する。
【００８０】
そして、入力による各種設定が完了したか否かが判別される（ステップＳ１４）。ステップＳ１４では、例えば、図６（ａ）に示すメイン操作画面２１０がＬＣＤ３１に表示されている状態で、ユーザにより操作表示部３０のハードキーの画像形成実行ボタンが押下されたか否かにより、入力により各種設定が完了したか否かが判別される。各種設定が完了していない場合（ステップＳ１４；ＮＯ）、ステップＳ１１に移行される。各種設定が完了した場合（ステップＳ１４；ＹＥＳ）、全体ページ番号カウンタが０に設定されてシステムメモリ１３０に記憶される（ステップＳ１５）。そして、章番号カウンタが０に設定されてシステムメモリ１３０に記憶される（ステップＳ１６）。
【００８１】
そして、システムメモリ１３０に記憶された全体ページ番号カウンタが１つインクリメントされ設定される（ステップＳ１７）。ステップＳ１７では、最初の全体ページ番号から最終の全体ページまで順に１ページづつ選択されていく。そして、システムメモリ１３０に記憶された全体ページ番号カウンタが参照され、その全体ページ番号が、ステップＳ１３で設定された章分け指定ページ番号であるか否かが判別される（ステップＳ１８）。章分け指定ページ番号である場合（ステップＳ１８；ＹＥＳ）、システムメモリ１３０に記憶された章番号カウンタが１つインクリメントされ設定される（ステップＳ１９）。
【００８２】
そして、ステップＳ１３で設定された画像形成種類に基づいて、章タイトル情報を画像形成するか否かが判別される（ステップＳ２０）。画像形成種類が、章タイトル情報を全ページ画像形成又は章先頭ページのみ画像形成の場合に、章タイトル情報を画像形成すると判別される。章分け指定ページ番号でない場合（ステップＳ１８；ＮＯ）、ステップＳ２０に移行される。
【００８３】
章タイトル情報を画像形成する場合（ステップＳ２０；ＹＥＳ）、ステップＳ１３で設定された画像形成種類に基づいて、章先頭ページのみ画像形成するか否かが判別される（ステップＳ２１）。章先頭ページのみ画像形成する場合（ステップＳ２１；ＹＥＳ）、システムメモリ１３０に記憶された全体ページ番号カウンタが参照され、その全体ページ番号が、ステップＳ１３で設定された章分け指定ページ番号（章先頭ページ番号）であるか否かが判別される（ステップＳ２２）。
【００８４】
章先頭ページ番号である場合（ステップＳ２２；ＹＥＳ）、画像データに合成するテキストデータが、ステップＳ１３で入力された章タイトル情報のうち、システムメモリ１３０に記憶された章番号カウンタの章番号に応じた章タイトル情報に設定される（ステップＳ２３）。章先頭ページのみ画像形成でない場合（ステップＳ２１；ＮＯ）、章タイトル情報を全ページに画像形成するため、ステップＳ２３に移行される。
【００８５】
そして、次に画像形成する入力画像データに、ステップＳ１１、Ｓ１２で設定された位置及び文字サイズで、ステップＳ２３又はステップＳ２５で設定されたテキストデータが画像として合成され、プリンタ部４０により、その１ページ分の合成画像データが記録用紙の次の面に画像形成される（ステップＳ２４）。記録用紙の次の面とは、章分け指定ページでは、次の記録用紙の表面となり、その他の場合では、画像形成済の面の次の表面又は裏面となる。また、入力画像データとは、図３に示すように、画像読み取り部２０による読み取りにより入力された画像データ、又はプリンタコントローラ１０を介したＰＣ２からの受信により入力された画像データである。また、合成とは、入力画像データ以外の領域にテキストデータを画像として合成するものとするが、これに限定されるものではなく、入力画像データ内の領域にテキストデータを画像として合成する構成としてもよい。
【００８６】
章タイトル情報を画像形成しない場合（ステップＳ２０；ＮＯ）、又は章先頭ページ番号でない場合（ステップＳ２２；ＮＯ）、画像データに合成するテキストデータが、ＮＵＬＬ（データ無し）に設定され（ステップＳ２５）、ステップＳ２４に移行される。ＮＵＬＬのテキストデータは、ステップＳ２４において実質的に画像形成されない。
【００８７】
そして、ステップＳ２４により、全ページが画像形成されたか否かが判別される（ステップＳ２６）。全ページが画像形成されていない場合（ステップＳ２６；ＮＯ）、ステップＳ１７に移行される。全ページが画像形成された場合（ステップＳ２６；ＹＥＳ）、第１の画像形成処理が終了する。
【００８８】
次いで、図８及び図９を参照して、上記第１の画像形成処理による画像形成の具体例を示す。図８に、画像データとともに全ページに章タイトル情報を画像形成した記録用紙ａ１〜ａ６を示す。図９に、画像データとともに章先頭ページに章タイトル情報を画像形成した記録用紙ａ１１〜ａ１６を示す。
【００８９】
図８及び図９における章分けは、図６（ｃ）の例に対応するものとする。図６（ｃ）の例では、第１章の章先頭ページが第１ページに自動的に設定され、同様に章先頭ページが、第２章→第４ページ、第３章→第９ページとして設定され、つまり章分け指定ページ番号が１，４，９に設定される。
【００９０】
図８を参照して、第１の画像形成処理のステップＳ１３で画像形成種類が、章タイトルの全ページ画像形成に設定された場合の一例を説明する。第１章では、記録用紙ａ１において、表面ｂ１に、画像データＡ１、章タイトル情報ｄ１「１章：概要」が画像形成され、裏面ｃ１に画像データＡ２、章タイトル情報ｄ１が画像形成される。記録用紙ａ２において、表面ｂ２に、画像データＡ３、章タイトル情報ｄ１が画像形成され、裏面ｃ２に、画像データ、章タイトル情報が画像形成されない。
【００９１】
同様に、第２章では、記録用紙ａ３〜ａ５において、表面ｂ３，裏面ｃ３〜表面ｂ５に、画像データＡ４〜Ａ８、章タイトル情報ｄ２「第２章：基本構成」が順に画像形成され、裏面ｃ５に、画像データ、章タイトル情報が画像形成されない。同様に、第３章では、記録用紙ａ６において、表面ｂ６，裏面ｃ６に、画像データＡ９，Ａ１０、章タイトル情報ｄ３「第３章：制約事項」が順に画像形成される。
【００９２】
図９を参照して、第１の画像形成処理のステップＳ１３で画像形成種類が、章タイトル情報の章先頭ページ画像形成に設定された場合の一例を説明する。第１章では、記録用紙ａ１１において、表面ｂ１１に、画像データＡ１、章タイトル情報ｄ１が画像形成され、裏面ｃ１１に画像データＡ２が画像形成される。記録用紙ａ１２において、表面ｂ１２に、画像データＡ３が画像形成され、裏面ｃ１２に、画像データ、章タイトル情報が画像形成されない。
【００９３】
同様に、第２章では、記録用紙ａ１３〜ａ１５において、表面ｂ１３に、画像データＡ４、章タイトル情報ｄ２が画像形成され、裏面ｃ１３〜表面ｂ１５に、画像データＡ５〜Ａ８が順に画像形成され、裏面ｃ１５に、画像データ、章タイトル情報が画像形成されない。同様に、第３章では、記録用紙ａ１６において、表面ｂ１６に、画像データＡ９、章タイトル情報ｄ３が画像形成され、裏面ｃ６に、画像データＡ１０が画像形成される。
【００９４】
以上、本実施の形態によれば、章分け機能での画像形成において、画像データに、番号（章番号、章ページ番号）以外のテキストを含む章タイトル情報を合成して画像形成でき、章ごとに視認性の高い記録用紙を出力することができる。
【００９５】
また、画像データに章タイトル情報を合成するページを、章先頭ページ及び全ページから選択できる。これに関して、章先頭ページのみを選択した場合に、章先頭ページのみに、画像データに章タイトル情報を合成して画像形成でき、章タイトル情報により記録用紙の章先頭ページを目視により認識できる。また、章タイトル情報を操作表示部３０を介する操作入力により取得して画像合成に用いることができる。また、章タイトル情報をＰＣ２からの受信により取得して画像合成に用いることができる。
【００９６】
（変形例）
図１０及び図１１を参照して、上記実施の形態の変形例を説明する。図１０に、第２の画像形成処理の流れを示す。図１１に、画像データとともに全ページに章タイトル情報及び章ページ情報を画像形成した記録用紙ａ２１〜ａ２６を示す。
【００９７】
本変形例の装置構成は、上記実施の形態と同様であるものとする。但し、プログラムメモリ１２０に、後述する第２の画像形成処理を実行するための第２の画像形成プログラムが記憶される。システムメモリ１３０は、章番号カウンタ及び全体ページ番号カウンタと、章ごとのページ番号をカウントする章ページ番号カウンタを格納する。章ページ番号カウンタは、不揮発メモリ１４０に記憶する構成としてもよい。
【００９８】
次に、図１０を参照して、本変形例における複写機１の動作を説明する。本変形例において複写機１で第２の画像形成処理を実行する。
【００９９】
第２の画像形成処理は、章分け機能により画像データを記録用紙に画像形成するにあたり、画像データとともに、各章の章タイトル情報及び章ページ番号を全ページに画像形成する処理である。例えば、操作表示部３０を介して、第２の画像形成処理の実行指示が入力されたことをトリガとして、プログラムメモリ１２０から読み出されてシステムメモリ１３０に展開された第２の画像形成プログラムと、画像制御部１１０と、の協働により、第２の画像形成処理が実行される。
【０１００】
先ず、ステップＳ３１，Ｓ３２は、第１の画像形成処理のステップＳ１１，Ｓ１２と同様である。そして、操作表示部３０、又はプリンタコントローラ１０を介してＰＣ２から入力される章分けページ番号情報と、各章の章タイトル情報と、に基づいて、章分けページ番号、章タイトル情報が設定される（ステップＳ３３）。ステップＳ３４は、第１の画像形成処理のステップＳ１４と同様である。
【０１０１】
各種設定が完了した場合（ステップＳ３４；ＹＥＳ）、全体ページ番号カウンタと、章ごとのページ番号を示す章ページ番号カウンタとが０に設定されてシステムメモリ１３０に記憶される（ステップＳ３５）。ステップＳ３６〜Ｓ３８は、第１の画像形成処理のステップＳ１６〜Ｓ１８と同様である。章分け指定ページ番号である場合（ステップＳ３８；ＹＥＳ）、システムメモリ１３０に記憶された章ページ番号カウンタが１に設定される（ステップＳ３９）。ステップＳ４０は、第１の画像形成処理のステップＳ１９と同様である。
【０１０２】
そして、画像データに合成するテキストデータが、ステップＳ１３で入力された章タイトル情報のうちのシステムメモリ１３０に記憶された章番号カウンタの章番号に応じた章タイトル情報と、システムメモリ１３０に記憶された章ページ番号カウンタの章ページ番号とに設定される（ステップＳ４１）。章分け指定ページ番号でない場合（ステップＳ４２；ＹＥＳ）、システムメモリ１３０に記憶された章ページ番号カウンタが１つインクリメントされ設定され（ステップＳ４２）、ステップＳ４１に移行される。ステップＳ４３，Ｓ４４は、第１の画像形成処理のステップＳ２４，Ｓ２６と同様である。
【０１０３】
次いで、図１１を参照して、上記第２の画像形成処理による画像形成の具体例を示す。図１１における章分けは、図６（ｃ）の例に対応し、章分け指定ページ番号が１，４，９に設定される。
【０１０４】
図１１に示すように、第１章では、記録用紙ａ２１において、表面ｂ２１に、画像データＡ１、章タイトル情報ｄ１「１章：概要」、章ページ番号ｅ１が画像形成され、裏面ｃ２１に画像データＡ２、章タイトル情報ｄ１、章ページ番号ｅ２が画像形成される。記録用紙ａ２２において、表面ｂ２２に、画像データＡ３、章タイトル情報ｄ１、章ページ番号ｅ３が画像形成され、裏面ｃ２２に、画像データ、章タイトル情報、章ページ番号が画像形成されない。
【０１０５】
同様に、第２章では、記録用紙ａ２３〜ａ２５において、表面ｂ２３，裏面ｃ２３〜表面ｂ２５に、画像データＡ４〜Ａ８、章タイトル情報ｄ２「第２章：基本構成」、章ページ番号ｅ４〜ｅ８が順に画像形成され、裏面ｃ２５に、画像データ、章タイトル情報、章ページ番号が画像形成されない。同様に、第３章では、記録用紙ａ２６において、表面ｂ２６，裏面ｃ２６に、画像データＡ９，Ａ１０、章タイトル情報ｄ３「第３章：制約事項」、章ページ番号ｅ９，ｅ１０が順に画像形成される。
【０１０６】
以上、本変形例によれば、章分け機能での画像形成において、画像データに、番号以外のテキストを含む章タイトル情報と、章ページ番号と、を合成して画像形成でき、章ごと及び章のページごとに視認性の高い記録用紙を出力することができる。
【０１０７】
なお、上記実施の形態及び変形例における記述は、本発明に係る好適な画像形成装置の一例であり、これに限定されるものではない。
【０１０８】
例えば、上記実施の形態では、画像データとともに、番号以外のテキストを含む章タイトル情報をテキストデータとする構成としたが、これに限定されるものではなく、番号以外のテキストを含む任意のテキストデータとする構成としてもよい。また、上記実施の形態及び変形例では、章タイトル情報をシステムメモリ１３０に記憶する構成としたが、不揮発メモリ１４０等に記憶し、以後の章分けの画像形成において不揮発メモリ１４０等から読み出した章タイトル情報を用いる構成としてもよい。
【０１０９】
また、上記変形例では、画像データとともに、番号以外のテキストを含む章タイトル情報と章ページ番号を組み合せてテキストデータとする構成としたが、これに限定されるものではなく、任意のテキストを、章番号、章ページ番号及び全体ページ番号の少なくとも一つと組み合わせて、テキストデータとする構成としてもよい。また、任意のテキストと組み合せる番号は、章番号、章ページ番号、全体ページ番号以外の番号としてもよい。さらに、章タイトル情報と全体ページ番号を組み合せてテキストデータとする構成において、章先頭ページのみにテキストデータを画像形成する構成としてもよい。
【０１１０】
また、上記実施の形態及び変形例における複写機１を構成する装置各部の細部構成及び細部動作に関して本発明の趣旨を逸脱することのない範囲で適宜変更可能である。
【図面の簡単な説明】
【０１１１】
【図１】本発明に係る実施の形態の複写機１の構成を示す図である。
【図２】複写機１の内部構成を示すブロック図である。
【図３】原稿Ｍ１及びテキストデータＴ１の入力から記録用紙Ｐ１の出力までの流れを示す図である。
【図４】画像データＤ１及びテキストデータＴ２の入力から記録用紙Ｐ１ａの出力までの流れを示す図である。
【図５】第１の画像形成処理を示すフローチャートである。
【図６】（ａ）は、メイン操作画面２１０の構成を示す図である。（ｂ）は、応用機能操作画面２２０を示す図である。（ｃ）は、章分け指定ページ番号入力画面２３０を示す図である。
【図７】（ａ）は、章タイトル情報一覧表示画面２４０を示す図である。（ｂ）は、章タイトル情報入力画面２５０を示す図である。（ｃ）は、章分け指定ページ番号入力画面２３０ａを示す図である。
【図８】画像データとともに全ページに章タイトル情報を画像形成した記録用紙ａ１〜ａ６を示す図である。
【図９】画像データとともに章先頭ページに章タイトル情報を画像形成した記録用紙ａ１１〜ａ１６を示す図である。
【図１０】第２の画像形成処理を示すフローチャートである。
【図１１】画像データとともに全ページに章タイトル情報及び章ページ情報を画像形成した記録用紙ａ２１〜ａ２６を示す図である。
【図１２】章分け機能により画像形成した記録用紙ａ３１〜ａ３６を示す図である。
【図１３】第３の画像形成処理を示すフローチャートである。
【図１４】画像データとともに章番号及び章ページ番号を画像形成した記録用紙ａ４１〜ａ４６を示す図である。
【符号の説明】
【０１１２】
１  複写機
１００  制御手段
１１０  画像制御部
１２０  プログラムメモリ
１３０  システムメモリ
１４０  不揮発メモリ
１５０  読み取り処理部
１６０  ＤＲＡＭ制御ＩＣ
１７０  画像メモリ
１７１  圧縮メモリ
１７２  ページメモリ
１８０  圧縮・伸長ＩＣ
１９０  書き込み処理部
１０  プリンタコントローラ
１１  コントローラ制御部
１２  ＤＲＡＭ制御ＩＣ
１３  画像メモリ
１４  通信制御部
１５  ＮＩＣ
２０  画像読み取り部
２１  ＡＤＦ部
２２  スキャナ部
２３  ＣＣＤイメージセンサ
２４  画像読み取り制御部
２５  ＡＤＦ制御部
３０  操作表示部
３１  ＬＣＤ
３２  操作表示制御部
４０  プリンタ部
４１  搬送機構
４２  画像形成部
４３  定着部
４４  プリンタ制御部
５０  給紙ユニット
５１〜５４  給紙トレイ
６０  後処理ユニット
６１  後処理制御部
２  ＰＣ
【図１】
0004798213.tif 000002
【図２】
0004798213.tif 000003
【図３】
0004798213.tif 000004
【図４】
0004798213.tif 000005
【図５】
0004798213.tif 000006
【図６】
0004798213.tif 000007
【図７】
0004798213.tif 000008
【図８】
0004798213.tif 000009
【図９】
0004798213.tif 000010
【図１０】
0004798213.tif 000011
【図１１】
0004798213.tif 000012
【図１２】
0004798213.tif 000013
【図１３】
0004798213.tif 000014
【図１４】
0004798213.tif 000015